【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
バッテリを試験するための装置であって、
前記バッテリの複数の充電状態における前記バッテリの派生的なエントロピーまたは前記バッテリの差分エントロピーのうちの少なくとも１つを決定するように構成された判定回路と、
前記バッテリの前記複数の充電状態における前記バッテリの前記決定された前記派生的なエントロピーまたは前記差分エントロピーのうちの少なくとも一方に基づいてバッテリの健康状態を評価するように構成された評価回路とを備えることを特徴とするバッテリ試験装置。
【請求項２】
前記バッテリを充電するように構成された充電回路をさらに備えることを特徴とする請求項１に記載の装置。
【請求項３】
前記バッテリを放電するように構成された放電回路をさらに備えることを特徴とする請求項１または２に記載の装置。
【請求項４】
前記バッテリを加熱するように構成されたヒーター回路、および前記バッテリを冷却するように構成された冷却回路のうちの少なくとも一方をさらに備えることを特徴とする請求項１乃至３のうちのいずれか一項に記載の装置。
【請求項５】
新しいバッテリのエントロピーを測定するとともに、使用済みのバッテリのエントロピーを測定するように構成されたエントロピー測定回路をさらに備え、
前記判定回路は、前記新しいバッテリの前記エントロピーの前記測定および前記使用済みのバッテリの前記エントロピーの前記測定に基づいて前記バッテリの前記差分エントロピーを決定するようにさらに構成されることを特徴とする請求項１乃至４のうちのいずれか一項に記載の装置。
【請求項６】
新しいバッテリのエンタルピーを測定するとともに使用済みのバッテリのエンタルピーを測定するように構成されたエンタルピー測定回路をさらに備え、
前記判定回路は、前記新しいバッテリの前記エンタルピーの前記測定および前記使用済みのバッテリの前記エンタルピーの前記測定に基づいて前記バッテリの差分エンタルピーを決定するようにさらに構成されることを特徴とする請求項１乃至５のうちのいずれか一項に記載の装置。
【請求項７】
前記判定回路は前記バッテリの複数の充電状態における前記バッテリの派生的なエンタルピーを決定するようにさらに構成され、
前記評価回路は前記バッテリの前記複数の充電状態における前記バッテリの前記決定した派生的なエンタルピーに基づいて前記バッテリの前記健康状態を評価するように構成されることを特徴とする請求項１乃至６のうちのいずれか一項に記載の装置。
【請求項８】
前記判定回路は前記バッテリの複数の充電状態における前記バッテリの派生的なエントロピーを決定するように構成され、
前記評価回路は前記バッテリの前記複数の充電状態における前記バッテリの前記決定した派生的なエントロピーに基づいて前記バッテリの前記健康状態を評価するように構成されることを特徴とする請求項１乃至７のうちのいずれか一項に記載の装置。
【請求項９】
前記判定回路は前記バッテリの複数の充電状態における前記バッテリの差分エンタルピーを決定するように構成され、
前記評価回路は前記バッテリの前記複数の充電状態における前記バッテリの前記決定した差分エンタルピーに基づいて前記バッテリの前記健康状態を評価するように構成されることを特徴とする請求項１乃至８のうちのいずれか一項に記載の装置。
【請求項１０】
前記判定回路は前記バッテリの複数の充電状態における前記バッテリの差分エントロピーを決定するように構成され、
前記評価回路は前記バッテリの前記複数の充電状態における前記バッテリの前記決定した差分エントロピーに基づいて前記バッテリの前記健康状態を評価するように構成されることを特徴とする請求項１乃至９のうちのいずれか一項に記載の装置。
【請求項１１】
前記装置はチップであることを特徴とする請求項１乃至１０のうちのいずれか一項に記載の装置。
【請求項１２】
前記チップは前記バッテリに埋め込まれていることを特徴とする請求項１１に記載の装置。
【請求項１３】
バッテリを試験するための方法であって、
前記バッテリの複数の充電状態における前記バッテリの派生的なエントロピーおよび前記バッテリの差分エントロピーのうちの少なくとも一方を決定する工程と、
前記バッテリの前記複数の充電状態における前記バッテリの前記決定された前記派生的なエントロピーおよび前記差分エントロピーのうちの少なくとも一方に基づいてバッテリの健康状態を評価する工程とを含むことを特徴とするバッテリ試験方法。
【請求項１４】
前記バッテリを加熱する工程および前記バッテリを冷却する工程のうちの少なくとも一方をさらに含むことを特徴とする請求項１３に記載の方法。
【請求項１５】
新しいバッテリのエントロピーを測定するとともに使用済みのバッテリのエントロピーを測定する工程と、
前記新しいバッテリの前記エントロピーの前記測定および前記使用済みのバッテリの前記エントロピーの前記測定に基づいて前記バッテリの前記差分エントロピーを決定する工程とをさらに含むことを特徴とする請求項１３または１４に記載の方法。
【請求項１６】
新しいバッテリのエンタルピーを測定するとともに使用済みのバッテリのエンタルピーを測定する工程と、
前記新しいバッテリの前記エンタルピーの前記測定および前記使用済みのバッテリの前記エンタルピーの前記測定に基づいて前記バッテリの差分エンタルピーを決定する工程とをさらに含むことを特徴とする請求項１３乃至１５のうちのいずれか一項に記載の方法。
【請求項１７】
前記バッテリの複数の充電状態における前記バッテリの派生的なエンタルピーを決定する工程と、
前記バッテリの前記複数の充電状態における前記バッテリの前記決定した派生的なエンタルピーに基づいて前記バッテリの前記健康状態を評価する工程とをさらに含むことを特徴とする請求項１３乃至１６のうちのいずれか一項に記載の方法。
【請求項１８】
前記バッテリの複数の充電状態における前記バッテリの派生的なエントロピーを決定する工程と、
前記バッテリの前記複数の充電状態における前記バッテリの前記決定した派生的なエントロピーに基づいて前記バッテリの前記健康状態を評価する工程とをさらに含むことを特徴とする請求項１３乃至１７のうちのいずれか一項に記載の方法。
【請求項１９】
前記バッテリの複数の充電状態における前記バッテリの差分エンタルピーを決定する工程と、
前記バッテリの前記複数の充電状態における前記バッテリの前記決定した差分エンタルピーに基づいて前記バッテリの前記健康状態を評価する工程とをさらに含むことを特徴とする請求項１３乃至１８のうちのいずれか一項に記載の方法。
【請求項２０】
前記バッテリの複数の充電状態における前記バッテリの差分エントロピーを決定する工程と、
前記バッテリの前記複数の充電状態における前記バッテリの前記決定した差分エントロピーに基づいて前記バッテリの前記健康状態を評価する工程とをさらに含むことを特徴とする請求項１３乃至１９のうちのいずれか一項に記載の方法。
【請求項２１】
バッテリを試験するための装置であって、
前記バッテリの複数の充電状態における前記バッテリの派生的なエンタルピーまたは前記バッテリの差分エンタルピーのうちの少なくとも一方を決定するように構成された判定回路と、
前記バッテリの前記複数の充電状態における前記決定された前記バッテリの前記派生的なエンタルピーまたは前記差分エンタルピーのうちの少なくとも一方に基づいて前記バッテリの健康状態を評価するように構成された評価回路とを備えることを特徴とするバッテリ試験装置。
【請求項２２】
前記バッテリを加熱するように構成されたヒーター回路、および前記バッテリを冷却するように構成された冷却回路のうちの少なくとも一方をさらに備えることを特徴とする請求項２１に記載の装置。
【請求項２３】
新しいバッテリのエントロピーを測定するとともに、使用済みのバッテリのエントロピーを測定するように構成されたエントロピー測定回路をさらに備え、
前記判定回路は、前記新しいバッテリの前記エントロピーの前記測定および前記使用済みのバッテリの前記エントロピーの前記測定に基づいて前記バッテリの差分エントロピーを決定するようにさらに構成されることを特徴とする請求項２１または２２に記載の装置。
【請求項２４】
新しいバッテリのエンタルピーを測定するとともに使用済みのバッテリのエンタルピーを測定するように構成されたエンタルピー測定回路をさらに備え、
前記判定回路は、前記新しいバッテリの前記エンタルピーの前記測定および前記使用済みのバッテリの前記エンタルピーの前記測定に基づいて前記バッテリの前記差分エンタルピーを決定するようにさらに構成されることを特徴とする請求項２１乃至２３のうちのいずれか一項に記載の装置。
【請求項２５】
前記判定回路は前記バッテリの複数の充電状態における前記バッテリの派生的なエンタルピーを決定するようにさらに構成され、
前記評価回路は前記バッテリの前記複数の充電状態における前記バッテリの前記決定した派生的なエンタルピーに基づいて前記バッテリの前記健康状態を評価するように構成されることを特徴とする請求項２１乃至２４のうちのいずれか一項に記載の装置。
【請求項２６】
前記判定回路は前記バッテリの複数の充電状態における前記バッテリの派生的なエントロピーを決定するように構成され、
前記評価回路は前記バッテリの前記複数の充電状態における前記バッテリの前記決定した派生的なエントロピーに基づいて前記バッテリの前記健康状態を評価するように構成されることを特徴とする請求項２１乃至２５のうちのいずれか一項に記載の装置。
【請求項２７】
前記判定回路は前記バッテリの複数の充電状態における前記バッテリの差分エンタルピーを決定するように構成され、
前記評価回路は前記バッテリの前記複数の充電状態における前記バッテリの前記決定した差分エンタルピーに基づいて前記バッテリの前記健康状態を評価するように構成されることを特徴とする請求項２１乃至２６のうちのいずれか一項に記載の装置。
【請求項２８】
前記判定回路は前記バッテリの複数の充電状態における前記バッテリの差分エントロピーを決定するように構成され、
前記評価回路は前記バッテリの前記複数の充電状態における前記バッテリの前記決定した差分エントロピーに基づいて前記バッテリの前記健康状態を評価するように構成されることを特徴とする請求項２１乃至２７のうちのいずれか一項に記載の装置。
【請求項２９】
バッテリを試験するための方法であって、
前記バッテリの複数の充電状態における前記バッテリの派生的なエンタルピーまたは前記バッテリの差分エンタルピーのうちの少なくとも一方を決定する工程と、
前記バッテリの前記複数の充電状態における前記バッテリの前記決定された前記派生的なエンタルピーまたは前記差分エンタルピーのうちの少なくとも一方に基づいて前記バッテリの健康状態を評価する工程とを含むことを特徴とするバッテリ試験方法。
【請求項３０】
前記バッテリを加熱する工程および前記バッテリを冷却する工程のうちの少なくとも一方をさらに含むことを特徴とする請求項２９に記載の方法。
【請求項３１】
新しいバッテリのエントロピーを測定するとともに使用済みのバッテリのエントロピーを測定する工程と、
前記新しいバッテリの前記エントロピーの前記測定および前記使用済みのバッテリの前記エントロピーの前記測定に基づいて前記バッテリの差分エントロピーを決定する工程とをさらに含むことを特徴とする請求項２９または３０に記載の方法。
【請求項３２】
新しいバッテリのエンタルピーを測定するとともに使用済みのバッテリのエンタルピーを測定する工程と、
前記新しいバッテリの前記エンタルピーの前記測定および前記使用済みのバッテリの前記エンタルピーの前記測定に基づいて前記バッテリの差分エンタルピーを決定する工程とをさらに含むことを特徴とする請求項２９乃至３１のうちのいずれか一項に記載の方法。
【請求項３３】
前記バッテリの複数の充電状態における前記バッテリの派生的なエンタルピーを決定する工程と、
前記バッテリの前記複数の充電状態における前記バッテリの前記決定した派生的なエンタルピーに基づいて前記バッテリの前記健康状態を評価する工程とをさらに含むことを特徴とする請求項２９乃至３２のうちのいずれか一項に記載の方法。
【請求項３４】
前記バッテリの複数の充電状態における前記バッテリの派生的なエントロピーを決定する工程と、
前記バッテリの前記複数の充電状態における前記バッテリの前記決定した派生的なエントロピーに基づいて前記バッテリの前記健康状態を評価する工程とをさらに含むことを特徴とする請求項２９乃至３３のうちのいずれか一項に記載の方法。
【請求項３５】
前記バッテリの複数の充電状態における前記バッテリの差分エンタルピーを決定する工程と、
前記バッテリの前記複数の充電状態における前記バッテリの前記決定した差分エンタルピーに基づいて前記バッテリの前記健康状態を評価する工程とをさらに含むことを特徴とする請求項２９乃至３４のうちのいずれか一項に記載の方法。
【請求項３６】
前記バッテリの複数の充電状態における前記バッテリの差分エントロピーを決定する工程と、
前記バッテリの前記複数の充電状態における前記バッテリの前記決定した差分エントロピーに基づいて前記バッテリの前記健康状態を評価する工程とをさらに含むことを特徴とする請求項２９乃至３５のうちのいずれか一項に記載の方法。
【手続補正２】
【補正対象書類名】明細書
【補正対象項目名】０００６
【補正方法】変更
【補正の内容】
【０００６】
【図１】様々な実施形態によるバッテリを試験するための装置を示す図。
【図２】様々な実施形態によるバッテリを試験するための装置を示す図。
【図３】様々な実施形態によるバッテリを試験するための方法を示すフローチャート。
【図４】異なる充電カットオフ電圧にさらされるバッテリセルの放電プロフィールを示すグラフ。
【図５】バッテリセルがカットオフ電圧にさらされる充電中におけるバッテリセルの開放電流電圧プロフィール対充電容量を示すグラフ。
【図６】第１の充電中における未使用のセルのエントロピープロフィール対充電状態を示すグラフ。
【図７】第１の充電中における未使用のセルのエンタルピープロフィール対充電状態を示すグラフ。
【図８】４．６Ｖにおけるカットオフ電圧試験のエントロピープロフィールの比較を示すグラフ。
【図９】４．９Ｖにおけるカットオフ電圧試験のエントロピープロフィールの比較を示すグラフ。
【図１０】異なる充電カットオフ電圧におけるエントロピープロフィールを示すグラフ。
【図１１】異なる充電カットオフ電圧におけるエンタルピープロフィールを示すグラフ。
【図１２】充電カットオフ電圧に応じた、８０％の充電状態ＳＯＣにおけるエントロピーおよびエンタルピーのピーク強度の漸進的変化を示すグラフ。
【図１３Ａ】過充電前後におけるＬｉＣｏＯ２のＸ線回折の全パターンを示すグラフ。
【図１３Ｂ】ピーク領域を備えた図１３Ａの回折パターンを示すグラフ。
【図１３Ｃ】別のピーク領域を備えた図１３Ａの回折パターンを示すグラフ。
【図１３Ｄ】図１３Ａに示すパターンに対するカットオフ電圧に応じた１０４／００３のピーク強度の漸進的変化を示すグラフ。
【図１４】異なるカットオフ電圧におけるコバルト酸リチウム陰極のラマンスペクトルを示すグラフ。
【図１５】過充電前後における黒鉛陽極のＸ線回折パターンを示す図であって、（ａ）その全パターン、（ｂ）ピーク領域を示すグラフ。
【図１６】カットオフ電圧に対する黒鉛陽極ピークの半値全幅（ＦＷＨＭ）の漸進的変化を示すグラフ。
【図１７】異なるカットオフ電圧における黒鉛陽極のラマンスペクトルを示すグラフ。
【図１８】カットオフ電圧に応じた、黒鉛陽極のラマンＤバンドおよびラマンＧバンドのＩＤ／ＩＧ強度比の漸進的変化を示すグラフ。
【図１９】充電において２．７５Ｖ乃至４．２Ｖにてサイクルしたバッテリにおける高圧劣化および高温劣化前の最初の試験を示すグラフ。
【図２０】放電において２．７５Ｖ乃至４．２Ｖにてサイクルしたバッテリにおける高圧劣化および高温劣化前の最初の試験を示すグラフ。
【図２１】充電において２．７５Ｖ乃至４．５Ｖにてサイクルしたバッテリにおける高圧劣化後の試験を示すグラフ。
【図２２】放電において２．７５Ｖ乃至４．５Ｖにてサイクルしたバッテリにおける高圧劣化後の試験を示すグラフ。
【図２３】充電においてバッテリの比較における高圧劣化後の試験を示すグラフ。
【図２４】放電においてバッテリの比較における高圧劣化後の試験を示すグラフ。
【図２５】数週間にわたる６２℃の高温劣化後の試験、および充電におけるバッテリ間の比較を示すグラフ。
【図２６】数週間にわたる６２℃の高温劣化後の試験、および放電におけるバッテリ間の比較を示すグラフ。
【図２７】３Ｄプロットを示すグラフ。
【図２８】３Ｄプロットを示すグラフ。
【図２９】３Ｄプロットを示すグラフ。
【図３０】充電において、１、２、および３週間の劣化における異なるバッテリの派生的なエントロピーおよび派生的なエンタルピーを示すグラフ。
【図３１】充電において、２．７５Ｖ乃至４．５Ｖにてサイクルした４つのバッテリの高圧劣化試験における差分エントロピーおよび差分エンタルピーを示すグラフ。
【図３２】放電において２．７５Ｖ乃至４．５Ｖにてサイクルした４つのバッテリの高圧劣化試験における差分エントロピーおよび差分エンタルピーを示すグラフ。
【図３３】放電において高温劣化における差分エントロピーおよび差分エンタルピーを示すグラフ。
【図３４】充電において高温劣化における差分エントロピーおよび差分エンタルピーを示すグラフ。
【図３５】ＳＯＣ（充電状態）に応じた、約５％および約８０％の充電状態における差分エントロピーピーク強度の漸進的変化を示すグラフ。
【図３６】６０℃および７０℃におけるＯＣＶ（開路電圧）電圧の劣化時間の比較を示すグラフ。
【図３７】６０℃および７０℃における容量対劣化時間の比較を示すグラフ。
【図３８】充電および放電中における未使用のセルのＯＣＶ対（電圧）容量を示すグラフ。
【図３９】充電および放電中における未使用のセルのＯＣＶ対ＳＯＣを示すグラフ。
【図４０】充電および放電中における未使用のセルのエントロピー対ＳＯＣを示すグラフ。
【図４１】充電および放電中における未使用のセルのエントロピー対ＳＯＣを示すグラフ。
【図４２】充電および放電中における未使用のセルのエンタルピー対ＳＯＣを示すグラフ。
【図４３】充電および放電中における未使用のセルのエンタルピー対ＳＯＣを示すグラフ。
【図４４】充電および放電中における未使用のセルのエントロピー対ＯＣＶを示すグラフ。
【図４５】充電および放電中における未使用のセルのエントロピー対ＯＣＶを示すグラフ。
【図４６】充電および放電中における未使用のセルのエンタルピー対ＯＣＶを示すグラフ。
【図４７】充電および放電中における未使用のセルのエンタルピー対ＯＣＶを示すグラフ。
【図４８】充電中における６０℃にて劣化したＬＩＢのＯＣＶプロフィール対容量を示すグラフ。
【図４９】充電中における７０℃にて劣化したＬＩＢのＯＣＶプロフィール対容量を示すグラフ。
【図５０】充電中における６０℃にて劣化したＬＩＢのエントロピープロフィール対ＳＯＣを示すグラフ。
【図５１】充電中における７０℃にて劣化したＬＩＢのエントロピープロフィール対ＳＯＣを示すグラフ。
【図５２】充電中における６０℃にて劣化したＬＩＢのエンタルピープロフィール対ＳＯＣを示すグラフ。
【図５３】充電中における７０℃にて劣化したＬＩＢのエンタルピープロフィール対ＳＯＣを示すグラフ。
【図５４】充電中における６０℃にて劣化したＬＩＢのエントロピープロフィール対容量を示すグラフ。
【図５５】充電中における７０℃にて劣化したＬＩＢのエントロピープロフィール対容量を示すグラフ。
【図５６】充電中における６０℃にて劣化したＬＩＢのエンタルピープロフィール対容量を示すグラフ。
【図５７】充電中における７０℃にて劣化したＬＩＢのエンタルピープロフィール対容量を示すグラフ。
【図５８】充電中における６０℃にて劣化したＬＩＢのエントロピープロフィール対ＯＣＶを示すグラフ。
【図５９】充電中における７０℃にて劣化したＬＩＢのエントロピープロフィール対ＯＣＶを示すグラフ。
【図６０】充電中における６０℃にて劣化したＬＩＢのエンタルピープロフィール対ＯＣＶを示すグラフ。
【図６１】充電中における７０℃にて劣化したＬＩＢのエンタルピープロフィール対ＯＣＶを示すグラフ。
【図６２】６０℃にて劣化したセルにおいて、所定劣化時間に応じた、８０％のＳＯＣにおけるエントロピーおよびエンタルピーのピーク強度の漸進的変化を示すグラフ。
【図６３】７０℃にて劣化したセルにおいて、所定劣化時間に応じた、８０％のＳＯＣにおけるエントロピーおよびエンタルピーのピーク強度の漸進的変化を示すグラフ。
【図６４】充電中における６０℃にて劣化したＬＩＢのエンタルピープロフィール対エントロピーを示すグラフ。
【図６５】充電中における７０℃にて劣化したＬＩＢのエンタルピープロフィール対エントロピーを示すグラフ。
【図６６】６０℃で劣化したセルのＬｉＣｏＯ２（ＬＣＯ）のＸ線回折（ＸＲＤ）パターンを示すグラフ。
【図６７】７０℃で劣化したセルのＬｉＣｏＯ２のＸ線回折パターンを示すグラフ。
【図６８】６０℃で劣化したセルの黒鉛陽極のＸ線回折パターンを示すグラフ。
【図６９】６０℃で劣化したセルにおける劣化時間に対する黒鉛陽極の００２のピークの半値全幅（ＦＷＨＭ）の漸進的変化を示すグラフ。
【図７０】７０℃で劣化したセルの黒鉛陽極のＸ線回折パターンを示すグラフ。
【図７１】７０℃で劣化したセルにおける劣化時間に対する黒鉛陽極の００２のピークの半値全幅（ＦＷＨＭ）の漸進的変化を示すグラフ。
【図７２】充電中における７０℃にて劣化したＬＩＢの差分エントロピー対ＳＯＣを示すグラフ。
【図７３】充電中における７０℃にて劣化したＬＩＢの差分エンタルピー対ＳＯＣを示すグラフ。
【図７４】５％および８０％のＳＯＣピークにおける差分エントロピーの比較を示すグラフ。
【図７５】５％および８０％のＳＯＣピークにおける差分エントロピーの比較を示すグラフ。
【図７６】過充電後のＬＩＢの差分エントロピー対充電中におけるＳＯＣを示すグラフ。
【図７７】過充電後のＬＩＢの差分エンタルピー対充電中におけるＳＯＣを示すグラフ。
【図７８】５％および８０％のＳＯＣピークにおける差分エントロピーの比較を示すグラフ。
【図７９】５％および８０％のＳＯＣピークにおける差分エントロピーの比較を示すグラフ。
【図８０】Ｃ／２レートでサイクルしたＬＩＢセルの容量対サイクル数を示すグラフ。
【図８１】５００サイクルまでにおけるＣ／２レートでサイクルしたＬＩＢセルのエントロピープロフィールを示すグラフ。
【図８２】５００サイクルにおけるＣ／２レートでサイクルしたＬＩＢセルのエンタルピープロフィールを示すグラフ。
【図８３】５００サイクルにおけるＣ／２レートでサイクルしたＬＩＢセルの差分エントロピーを示すグラフ。
【図８４】５００サイクルにおけるＣ／２レートでサイクルしたＬＩＢセルの差分エンタルピーを示すグラフ。
【手続補正３】
【補正対象書類名】明細書
【補正対象項目名】００１６
【補正方法】変更
【補正の内容】
【００１６】
図２は、様々な実施形態によるバッテリを試験するための装置２００を示す。装置２００は、図１の装置１００と同様に、バッテリの差分エンタルピーおよびバッテリの差分エントロピーのうちの少なくとも一方を決定するように構成された判定回路１０２を備える。装置２００は、図１の装置１００と同様に、決定された差分エンタルピーおよび差分エントロピーのうちの少なくとも一方に基づいてバッテリの健康状態を評価するように構成された評価回路１０４をさらに備える。装置２００は、充電回路２０２をさらに含み、これはより詳細に後述する。装置２００は、放電回路２０４をさらに含み、これはより詳細に後述する。装置２００は、加熱および／または冷却回路２０６をさらに含み、これはより詳細に後述する。装置２００は、エントロピー測定回路２０８をさらに含み、これはより詳細に後述する。装置２００は、エンタルピー測定回路２１０をさらに含み、これはより詳細に後述する。判定回路１０２、評価回路１０４、充電回路２０２、放電回路２０４、加熱回路２０６、エントロピー測定回路２０８、およびエンタルピー測定回路２１０は、電気的結合により、あるいは光結合（例えばケーブル、バス）により、連結部２１２によって接続される。
【手続補正４】
【補正対象書類名】明細書
【補正対象項目名】０１２１
【補正方法】変更
【補正の内容】
【０１２１】
図６４は、充電中における６０℃にて劣化したＬＩＢのエンタルピープロフィール対エントロピーを示すグラフ６４００である。
図６５は、充電中における７０℃にて劣化したＬＩＢのエンタルピープロフィール対エントロピーを示すグラフ６５００である。